(57)【要約】【課題】製造時における組み付け作業を容易化することが可能な集配電リング及び電動機を提供する。【解決手段】集配電リング９０は、第１乃至第４のバスリング１〜４と、保持・規制部材５とを備え、第１乃至第４のバスリング１〜４は、第１乃至第４の環状導体部１０，２０，３０，４０と、複数の第１乃至第４の接続端子１１，２１，３１，４１とを有し、第１乃至第４の接続端子１１，２１，３１，４１は、第１乃至第４の環状導体部１０，２０，３０，４０に接続された第１の接続部１１１，２１１，３１１，４１１と、ステータ９１の巻線９１１，９１２，９１３に接続される第２の接続部１１２，２１２，３１２，４１２と、第１乃至第４の環状導体部１０，２０，３０，４０の径方向に延びる連結部１１３，２１３，３１３，４１３とを有し、保持・規制部材５は、複数の環状導体部１０，２０，３０，４０を保持する保持部５０と、第１及び第２の接続端子１１，２１の連結部１１３，２１３に当接してその位置を規制する位置規制部５１とを有する。【選択図】図２
2014110707.tif 000002
【特許請求の範囲】
【請求項１】
環状に配置された複数のティースに巻き回された複数相の巻線に対して集配電を行う複数のバスリングと、前記複数のバスリングを保持する保持部材とを備え、
前記複数のバスリングは、前記複数のティースに沿って配置される複数の環状導体部と、前記環状導体部の周方向の複数箇所に設けられた複数の端子部とを有し、
前記複数の端子部は、前記環状導体部に接続された第１の接続部と、前記巻線に接続される第２の接続部と、前記第１及び第２の接続部を連結して前記複数の環状導体部の径方向に延びる連結部とを有し、
前記端子部の前記連結部に当接することにより前記第２の接続部の位置を規制可能な位置規制部材をさらに備えた
集配電リング。
【請求項２】
前記複数のバスリングは、前記複数の環状導体部が径方向に並列して同心状に配置され、
前記端子部は、前記連結部が前記第１の接続部から前記複数の環状導体部の径方向一側に延在すると共に、前記第２の接続部が前記複数の環状導体部のうち最も前記径方向一側に配置された環状導体部よりもさらに前記径方向一側に位置し、
前記位置規制部材は、前記第２の接続部の前記複数の環状導体部の周方向における位置を規制可能である
請求項１に記載の集配電リング。
【請求項３】
前記保持部材と前記位置規制部材とは一体になっている、
請求項１又は２に記載の集配電リング。
【請求項４】
前記位置規制部材は、前記端子部の前記連結部を前記複数の環状導体部の周方向に挟む第１及び第２の突起からなる、
請求項３に記載の集配電リング。
【請求項５】
前記保持部材は、前記複数の環状導体部のうち最も前記径方向一側に配置された環状導体部をその径方向の両側で挟む第１及び第２の壁部を有し、
前記位置規制部材は、前記第１の突起が前記第１の壁部の前記軸方向一側の端部に設けられ、前記第２の突起が前記第２の壁部の前記軸方向一側の端部に設けられている、
請求項４に記載の集配電リング。
【請求項６】
前記保持部材は、前記第１の壁部が前記第２の壁部よりも前記径方向一側に配置され、
前記端子部の前記第２の接続部は、前記連結部に連続して形成された第１の接触部と、前記第１の接触部よりも前記複数の環状導体部の周方向一側に位置して前記第１の接触部と周方向に向かい合う第２の接触部とを含み、前記第１の接触部及び前記第２の接触部が前記巻線にそれぞれ接触し、
前記第１の突起は、前記第２の突起よりも前記周方向一側に設けられている、
請求項５に記載の集配電リング。
【請求項７】
前記第１の突起の前記周方向一側の端面は、前記第２の接触部の前記周方向一側の端面よりも前記連結部側に位置している、
請求項６に記載の集配電リング。
【請求項８】
前記端子部は、前記連結部が前記第１の接続部から前記複数の環状導体部の径方向外側に延在し、前記第２の接続部が前記複数の環状導体部のうち最も前記径方向外側に配置された環状導体部よりもさらに前記径方向外側に位置する、
請求項２に記載の集配電リング。
【請求項９】
請求項１乃至８の何れか１項に記載の集配電リングと、
前記複数のティース及び前記複数相の巻線を有するステータと、
前記複数相の巻線の磁界によって前記ステータに対して回転するロータとを備えた
電動機。
【発明の詳細な説明】
【技術分野】
【０００１】
本発明は、複数のティースに巻き回された巻線に対して集配電を行う集配電リング、及びこの集配電リングをロータならびにステータと共に備えた電動機に関する。
【背景技術】
【０００２】
従来、例えば三相交流モータにおけるステータの巻線に、モータ電流を集配電（集電及び配電）する集配電リングが知られている（例えば、特許文献１参照）。
【０００３】
特許文献１に記載の集配電リングは、円環状の複数のリードフレームと、リードフレームの周方向の１箇所に設けられた給電端子と、リードフレームの周方向の複数箇所に設けられた複数の接続端子と、バスリングの周方向の複数箇所で複数のリードフレームを相互に固定する複数の固定部材とを備えて構成されている。接続端子は、リードフレームの径方向内方に突出し、ステータの巻線と接続される。固定部材は樹脂材によるモールド加工によって形成されている。接続端子と固定部材は、周方向の重複しない位置に交互に配置されている。給電端子にはモータ電流が供給され、このモータ電流がリードフレームを介して複数の接続端子からモータの巻線に配電される。
【０００４】
この集配電リングをモータに組み付ける際には、ステータの位置決め部材に予め位置決めされた巻線の端部に接続端子の接続部が向かい合うように、集配電リングをステータの軸方向に沿って移動させる。巻線の端部と接続端子の接続部とは、ヒュージング（熱加締め）によって電気的に接続される。
【先行技術文献】
【特許文献】
【０００５】
【特許文献１】特開２００９−２６１０８２号公報
【発明の概要】
【発明が解決しようとする課題】
【０００６】
ところで、特許文献１に記載の集配電リングは、接続端子がリードフレームの径方向内方に突出しているため、例えばモータへの組み付け時に接続端子がステータの位置決め部材に接触すること等により、接続端子が変形するおそれがある。この接続端子の変形によって巻線の端部と接続端子の接続部とが向かい合わなくなった場合、接続端子の形状を元に戻して再度、集配電リングを組み付ける必要がある。このため、組み付け時における工数が増大してしまう。
【０００７】
本発明は、上記事情に鑑みてなされたものであり、製造時における組み付け作業を容易化することが可能な集配電リング及び電動機を提供することを目的とする。
【課題を解決するための手段】
【０００８】
本発明は、上記課題を解決することを目的として、環状に配置された複数のティースに巻き回された複数相の巻線に対して集配電を行う複数のバスリングと、前記複数のバスリングを保持する保持部材とを備え、前記複数のバスリングは、前記複数のティースに沿って配置される複数の環状導体部と、前記環状導体部の周方向の複数箇所に設けられた複数の端子部とを有し、前記複数の端子部は、前記環状導体部に接続された第１の接続部と、前記巻線に接続される第２の接続部と、前記第１及び第２の接続部を連結して前記複数の環状導体部の径方向に延びる連結部とを有し、前記端子部の前記連結部に当接することにより前記第２の接続部の位置を規制可能な位置規制部材をさらに備えた集配電リングを提供する。
【０００９】
また、本発明は、上記課題を解決することを目的として、上記集配電リングと、前記複数のティース及び前記複数相の巻線を有するステータと、前記複数相の巻線の磁界によって前記ステータに対して回転するロータとを備えた電動機を提供する。
【発明の効果】
【００１０】
本発明に係る集配電リング及び電動機によれば、製造時における組み付け作業を容易化することが可能となる。
【図面の簡単な説明】
【００１１】
【図１】本発明の第１の実施の形態に係る集配電リング、及びこれを備えた電動機の構成例を示す説明図である。
【図２】集配電リングの一部を拡大して示す断面斜視図である。
【図３】第１の接続端子となる平板状の導電部材としての素材を示す平面図である。
【図４】保持部材を示し、（ａ）は斜視図、（ｂ）は（ａ）のＡ矢視図、（ｃ）は（ａ）のＢ矢視図である。
【図５】保持部材を軸方向から見た状態を示す上面図である。
【図６】Ｕ相の巻線の一端部と第２の接続部とをヒュージングによって電気的に接続する工程を示す説明図であり、（ａ）はヒュージング実施中の状態を、（ｂ）はヒュージング後の状態を、それぞれ示す。
【発明を実施するための形態】
【００１２】
［実施の形態］
本発明の実施の形態について、図１乃至図６を参照して説明する。
【００１３】
図１は、本発明の第１の実施の形態に係る集配電リング、及びこれを備えた電動機の構成例を示す説明図である。
【００１４】
この電動機９は、ステータ９１と、ロータ９２と、ステータ９１にモータ電流を集電及び配電する集配電リング９０とを備えた三相交流モータである。なお、電動機９は、集配電リング９０とステータ９１とがロータ９２の回転軸線Ｏに沿って並んでいるが、図１では、便宜上、ステータ９１を集配電リング９０の内側に図示している。この電動機９は、例えば車両の走行のための駆動源として用いられる。
【００１５】
ステータ９１は、回転軸線Ｏを中心として環状に配置された磁性材料からなる複数のティース９１０に、例えばエナメル塗装によって絶縁被覆された複数相の巻線９１１，９１２，９１３を巻き回して構成されている。各ティース９１０には、Ｕ相の巻線９１１、Ｖ相の巻線９１２、又はＷ相の巻線９１３が巻き回されている。これら、複数相の巻線９１１，９１２，９１３には、Ｕ相，Ｖ相，及びＷ相の電流が供給される。なお、回転軸線Ｏは、環状に配置された複数のティース９１０の中心であり、集配電リング９０の中心軸と一致する。
【００１６】
ロータ９２は、図略の軸受によってステータ９１と同軸上で回転可能に支持されたロータコア９２０と、ロータコア９２０の外周面に固定された複数の磁極を有する磁石９２１とを有している。
【００１７】
集配電リング９０は、各相の巻線９１１，９１２，９１３に対して集配電を行う第１乃至第４のバスリング１〜４と、第１乃至第４のバスリング１〜４を保持する樹脂からなる複数の保持・規制部材５とを備えている。第１乃至第４のバスリング１〜４は、複数のティース９１０に沿って、すなわちステータ９１に沿って配置されている。
【００１８】
第１のバスリング１は、回転軸線Ｏを中心とする環状の絶縁電線からなる第１の環状導電体１０と、第１の環状導電体１０とＵ相の巻線９１１の一端部９１１ａとを接続する複数（本実施の形態では８個）の第１の接続端子１１と、第１の環状導電体１０に給電するための１つの給電端子１２とを有している。第１の環状導電体１０は、絶縁電線の両端部が給電端子１２に加締め固定されている。
【００１９】
第２のバスリング２は、回転軸線Ｏを中心とする環状の絶縁電線からなる第２の環状導電体２０と、第２の環状導電体２０とＶ相の巻線９１２の一端部９１２ａとを接続する複数（本実施の形態では８個）の第２の接続端子２１と、第２の環状導電体２０に給電するための１つの給電端子２２とを有している。第２の環状導電体２０は、絶縁電線の両端部が給電端子２２に加締め固定されている。
【００２０】
同様に、第３のバスリング３は、回転軸線Ｏを中心とする環状の絶縁電線からなる第３の環状導電体３０と、第３の環状導電体３０とＷ相の巻線９１３の一端部９１３ａとを接続する複数（本実施の形態では８個）の第３の接続端子３１と、第３の環状導電体３０に給電するための１つの給電端子３２とを有している。第３の環状導電体３０は、絶縁電線の両端部が給電端子３２に加締め固定されている。
【００２１】
第４のバスリング４は、回転軸線Ｏを中心とする環状の絶縁電線からなる第４の環状導電体４０と、第４の環状導電体４０とＵ相，Ｖ相，及びＷ相の巻線９１１，９１２，９１３の他端部９１１ｂ，９１２ｂ，９１３ｂとを接続する複数（本実施の形態では２４個）の第４の接続端子４１とを有している。第４のバスリング４は、中性相のバスリングとして機能する。第４の環状導電体４０は、絶縁電線の両端部が空隙４０ａを介して対向している。
【００２２】
第１乃至第４のバスリング１〜４は、第１乃至第４の環状導電体１０，２０，３０，４０が径方向に並列して同心状に配置されている。より具体的には、第２の環状導電体２０は、第１の環状導電体１０よりも大径に形成され、第１の環状導電体１０の外周に配置されている。第３の環状導電体３０は、第２の環状導電体２０よりも大径に形成され、第２の環状導電体２０の外周に配置されている。第４の環状導電体４０は、第３の環状導電体３０よりも大径に形成され、第３の環状導電体３０の外周に配置されている。
【００２３】
すなわち、第１乃至第４の環状導電体１０，２０，３０，４０のうち、第１の環状導電体１０が最も径方向内側に配置され、第４の環状導電体４０が最も径方向外側に配置されている。また、第１乃至第４の環状導電体１０，２０，３０，４０は、それぞれの中心線がロータ９２の回転軸線Ｏに直交する同一平面（仮想面）上に存在する。以降の説明では、第１乃至第４の環状導電体１０，２０，３０，４０の周方向を単に「周方向」といい、第１乃至第４の環状導電体１０，２０，３０，４０の径方向を単に「径方向」といい、第１乃至第４の環状導電体１０，２０，３０，４０の軸方向を単に「軸方向」という。
【００２４】
第１乃至第４の環状導電体１０，２０，３０，４０は、本発明の複数の環状導体部の一具体例である。第１乃至第４の接続端子１１，２１，３１，４１は、本発明の複数の端子部の一具体例である。第１乃至第４の接続端子１１，２１，３１，４１は、第１乃至第４の環状導電体１０，２０，３０，４０の周方向の複数箇所に等間隔に設けられている。
【００２５】
第１乃至第３の給電端子１２，２２，３２は、第１乃至第３の環状導電体１０，２０，３０の径方向の外側に突出し、図略の給電線を介してインバータに接続される。第１乃至第３のバスリング１〜３は、インバータから出力されるモータ電流を電動機９のＵ相，Ｖ相，Ｗ相の各巻線９１１，９１２，９１３に配電する。
【００２６】
Ｕ相，Ｖ相，Ｗ相の各巻線９１１，９１２，９１３には、図略のインバータから位相が互いに１２０°ずれた正弦波状のモータ電流が供給され、ステータ９１に回転磁界を形成する。ロータ９２は、磁石９２１がこの回転磁界による吸引力及び反発力により回転力を受け、ステータ９１に対して回転する。
【００２７】
図２は、集配電リング９０の一部を拡大して示す断面斜視図である。
【００２８】
第１の環状導電体１０は、断面円形の丸電線であり、銅等の良導電性を有する金属からなる中心導体１０１、及び中心導体１０１の外周を被覆する絶縁性の樹脂からなる絶縁被覆１０２を有する。第１の接続端子１１及び第１の給電端子１２との接続箇所では、絶縁被覆１０２が除去されて露出した中心導体１０１に第１の接続端子１１及び第１の給電端子１２の一端が加締めによって固定されている。
【００２９】
同様に、第２の環状導電体２０は、中心導体２０１、及び絶縁被覆２０２を有し、第２の接続端子２１及び第２の給電端子２２との接続箇所では、絶縁被覆２０２が除去されて露出した中心導体２０１に第２の接続端子２１及び第２の給電端子２２の一端が加締めによって固定されている。また同様に、第３の環状導電体３０は、中心導体３０１、及び絶縁被覆３０２を有し、第３の接続端子３１及び第３の給電端子３２との接続箇所では、絶縁被覆３０２が除去されて露出した中心導体３０１に第３の接続端子３１及び第３の給電端子３２の一端が加締めによって固定されている。
【００３０】
第４の環状導電体４０は、中心導体４０１、及び絶縁被覆４０２を有し、第４の接続端子４１との接続箇所では、絶縁被覆４０２が除去されて露出した中心導体４０１に第４の接続端子４１の一端が加締めによって固定されている。第４の接続端子４１は、その接続対象によって、Ｕ相の巻線９１１の他端部９１１ｂが接続されるＵ相中性線接続端子４１ｕ、Ｖ相の巻線９１２の他端部９１２ｂが接続されるＶ相中性線接続端子４１ｖ、及びＷ相の巻線９１３の他端部９１３ｂが接続されるＷ相中性線接続端子４１ｗに分類される。Ｕ相中性線接続端子４１ｕ、Ｖ相中性線接続端子４１ｖ、及びＷ相中性線接続端子４１ｗは、同形状に形成されている。
【００３１】
第１の接続端子１１は、第１の環状導電体１０の中心導体１０１に接続された第１の接続部１１１と、Ｕ相の巻線９１１に接続される第２の接続部１１２と、第１及び第２の接続部１１１，１１２を連結して径方向に延びる連結部１１３とを一体に有している。より具体的には、第１の接続端子１１の連結部１１３は、第１の接続部１１１から第２の接続部１１２に向かって径方向外側に延在している。第２の接続部１１２は、第４の環状導電体４０よりもさらに径方向外側に位置している。第１の接続端子１１の連結部１１３は、第２乃至第４の環状導電体２０，３０，４０と軸方向に対向する。
【００３２】
第２の接続端子２１は、第２の環状導電体２０の中心導体２０１に接続された第１の接続部２１１と、Ｖ相の巻線９１２に接続される第２の接続部２１２と、第１及び第２の接続部２１１，２１２を連結して径方向に延びる連結部２１３とを一体に有している。より具体的には、第２の接続端子２１の連結部２１３は、第１の接続部２１１から第２の接続部２１２に向かって径方向外側に延在している。第２の接続部２１２は、第４の環状導電体４０よりもさらに径方向外側に位置している。第２の接続端子２１の連結部２１３は、第３及び第４の環状導電体３０，４０と軸方向に対向する。
【００３３】
第３の接続端子３１は、第３の環状導電体３０の中心導体３０１に接続された第１の接続部３１１と、Ｗ相の巻線９１３に接続される第２の接続部３１２と、第１及び第２の接続部３１１，３１２を連結して径方向に延びる連結部３１３とを一体に有している。より具体的には、第３の接続端子３１の連結部３１３は、第１の接続部３１１から第２の接続部３１２に向かって径方向外側に延在している。第３の接続部３１２は、第４の環状導電体４０よりもさらに径方向外側に位置している。第３の接続端子３１の連結部３１３は、第４の環状導電体４０と軸方向に対向する。
【００３４】
第４の接続端子４１（４１ｕ，４１ｖ，４１ｗ）は、第４の環状導電体４０の中心導体４０１に接続された第１の接続部４１１と、Ｕ相，Ｖ相，Ｗ相の巻線９１１，９１２，９１３に接続される第２の接続部４１２と、第１及び第２の接続部４１１，４１２を連結して径方向に延びる連結部４１３とを一体に有している。第４の接続端子４１の連結部４１３は、第１の接続部４１１から第２の接続部４１２に向かって径方向外側に延在している。
【００３５】
第１乃至第４の接続端子１１，２１，３１，４１は、平板状の導電部材を屈曲して形成されている。第１乃至第４の接続端子１１，２１，３１，４１は、連結部１１３，２１３，３１３，４１３の長手方向（径方向）の長さが異なるが、その他の構成は共通であるので、例として第１の接続端子１１となる導電部材について次に説明する。
【００３６】
図３は、第１の接続端子１１となる平板状の導電部材としての素材１１Ａを示す平面図である。この素材１１Ａは、一定の厚みを有する銅等の良導電性金属の板材を例えば金型を用いたプレス加工によって打ち抜きして得られる。
【００３７】
素材１１Ａは、第１の接続部１１１となる第１領域１１１Ａと、第２接続部１１２となる第２領域１１２Ａと、連結部１１３となる第３領域１１３Ａとを一体に有している。第２領域１１２Ａ及び第３領域１１３Ａはそれぞれが長方形状であり、共通する幅で長手方向に連続している。第１領域１１１Ａは略逆Ｔ字状であり、第３領域１１３Ａの長手方向の端部から図３の下方に突出している。素材１１Ａを図３に示す破線部で山折りに屈曲し、一点鎖線部で谷折りに屈曲することで、第１の接続端子１１が得られる。
【００３８】
図２に示すように、第１の接続端子１１が第１の環状導電体１０に接続される部位、及び第２の接続端子２１が第２の環状導電体２０に接続される部位には、保持・規制部材５が配置されている。第１の接続端子１１に対応して配置された保持・規制部材５は、第１乃至第４の環状導電体１０，２０，３０，４０を保持すると共に、第１の接続端子１１の連結部１１３に当接することにより、第２接続部１１２の位置を規制可能である。第２の接続端子２１に対応して配置された保持・規制部材５は、第１乃至第４の環状導電体１０，２０，３０，４０を保持すると共に、第２の接続端子２１の連結部２１３に当接することにより第２接続部２１２の位置を規制する。次に、保持・規制部材５の構成について詳細に説明する。
【００３９】
図４は、保持・規制部材５を示し、（ａ）は斜視図、（ｂ）は（ａ）のＡ矢視図、（ｃ）は（ａ）のＢ矢視図である。図５は、第１の接続端子１１に対応して設けられた保持・規制部材５を軸方向から見た状態を示す上面図である。
【００４０】
保持・規制部材５は、第１乃至第４の環状導電体１０，２０，３０，４０を保持する保持部５０と、第１の接続端子１１の連結部１１３、又は第２の接続端子２１の連結部２１３に当接して連結部１１３又は連結部２１３の位置を規制する位置規制部５１とを一体に有している。なお、本実施の形態では、保持部５０と位置規制部５１とが一体となって保持・規制部材５を構成しているが、保持部５０と位置規制部５１とは別体であってもよい。保持部５０は本発明の「保持部材」に相当し、位置規制部５１は本発明の「位置規制部材」に相当する。保持部５０と位置規制部５１とが別体である場合、位置規制部５１は例えばステータ９１に固定されていてもよい。また、位置規制部５１が保持部５０に例えば接着によって一体化されていてもよい。
【００４１】
保持部５０は、第１乃至第４の環状導電体１０，２０，３０，４０の軸方向においてステータ９１側に配置される基部５００と、第４の環状導電体４０の径方向外側に配置される第１の壁部５０１と、第４の環状導電体４０と第３の環状導電体３０との間に配置される第２の壁部５０２と、第３の環状導電体３０と第２の環状導電体２０との間に配置される第３の壁部５０３と、第２の環状導電体２０と第１の環状導電体１０との間に配置される第４の壁部５０４と、第１の環状導電体１０の径方向内側に配置される第５の壁部５０５とを一体に有している。
【００４２】
基部５００は、第１乃至第４の環状導電体１０，２０，３０，４０の径方向に平行な板状である。第１乃至第５の壁部５０１〜５０５は、基部５００に立設され、基部５００から軸方向に突出している。第１の壁部５０１と第２の壁部５０２との間には第４の環状導電体４０を保持する第１の保持空間５０ａが、第２の壁部５０２と第３の壁部５０３との間には第３の環状導電体３０を保持する第２の保持空間５０ｂが、第３の壁部５０３と第４の壁部５０４との間には第２の環状導電体２０を保持する第３の保持空間５０ｃが、第４の壁部５０４と第５の壁部５０５との間には第１の環状導電体１０を保持する第４の保持空間５０ｄが、それぞれ形成されている。
【００４３】
第１乃至第５の壁部５０１〜５０５は、それぞれの先端部（基部５００とは反対側の端部）５０１ａ，５０２ａ，５０３ａ，５０４ａ，５０５ａの径方向の幅が基部５００側よりも拡大されており、これにより第１乃至第４の保持空間５０ａ〜５０ｄに保持された第１乃至第４の環状導電体１０，２０，３０，４０の抜け止めが図られている。
【００４４】
第１及び第２の壁部５０１，５０２は、周方向の幅が第３乃至第５の壁部５０３〜５０５よりも広く形成されている。位置規制部５１は、第１の突起５１１及び第２の突起５１２からなり、第１の突起５１１が第１の壁部５０１に、第２の突起５１２が第２の壁部５０２に、それぞれ一体化されている。第１の突起５１１は、第１の壁部５０１の軸方向端面５０１ｂに立設されている。第２の突起５１２は、第２の壁部５０２の軸方向端面５０２ｂに立設されている。すなわち、第１の突起５１１及び第２の突起５１２は、第１の壁部５０１の軸方向端面５０１ｂ及び第２の壁部５０２の軸方向端面５０２ｂから軸方向に突出している。換言すれば、第１の突起５１１は第１の壁部５０１の軸方向一側（ステータ９１側の反対側）の端部に設けられ、第２の突起５１２は第２の壁部５０２の軸方向一側の端部に設けられている。また、第１及び第２の壁部５０１，５０２は、第４の環状導電体４０をその径方向の両側で挟み、第１の壁部５０１は第２の壁部５０２よりも径方向外側に配置されている。
【００４５】
第１の突起５１１及び第２の突起５１２は、その周方向の位置がオフセットして設けられている。第１の突起５１１及び第２の突起５１２の間の周方向の間隔ｗ（図４（ｃ）参照）は、第１の接続端子１１の連結部１１３、及び第２の接続端子２１の連結部２１３の厚さｔ（図２参照）と同等もしくは厚さｔよりも広く設定されている。
【００４６】
第１の突起５１１及び第２の突起５１２は、第１の接続端子１１の連結部１１３、又は第２の接続端子２１の連結部２１３を周方向に挟み、これら連結部１１３，２１３の周方向における位置を規制する。
【００４７】
第１の接続端子１１の第２の接続部１１２は、連結部１１３に連続して形成された第１の接触部１１２ａと、第１の接触部１１２ａに周方向に向かい合う第２の接触部１１２ｂと、第１の接触部１１２ａと第２の接触部１１２ｂとを連結し、円弧状に湾曲した湾曲部１１２ｃとを含んでいる。
【００４８】
図５において図面右側を周方向一側とし、図面左側を周方向他側とした場合、第２の接触部１１２ｂは第１の接触部１１２ａの周方向一側に位置している。また、第１の突起５１１は、第２の突起５１２よりも周方向一側に位置している。第１の突起５１１は、連結部１１３の周方向一側への移動を規制し、第２の突起５１２は、連結部１１３の周方向他側への移動を規制する。
【００４９】
また、図５に示すように、第１の接触部１１２ａと第２の接触部１１２ｂとの間にＵ相の巻線９１１の一端部９１１ａが挿入された場合、この一端部９１１ａに第１の接触部１１２ａの接触面１１２ａ１及び第２の接触部１１２ｂの接触面１１２ｂ１が向かい合う。第１の接触部１１２ａの接触面１１２ａ１と第２の接触部１１２ｂの接触面１１２ｂ１との周方向の間隔は、一端部９１１ａの周方向の厚さよりも広く、一端部９１１ａと接触面１１２ａ１，１１２ｂ１との間には隙間が形成される。
【００５０】
また、第２の接触部１１２ｂの周方向一側の端面１１２ｂ２（接触面１１２ｂ１の反対側の面）を径方向に延長した仮想線を仮想線Ｌ１とすると、第１の突起５１１の周方向一側の端面５１１ａは、仮想線Ｌ１よりも周方向他側に位置している。つまり、第１の突起５１１の周方向一側の端面５１１ａは仮想線Ｌ１よりも連結部１１３側に位置している。
【００５１】
集配電リング９０のステータ９１への組み付けは、Ｕ相の巻線９１１の一端部９１１ａ及び他端部９１１ｂ、Ｖ相の巻線９１２の一端部９１２ａ及び他端部９１２ｂ、ならびにＷ相の巻線９１３の一端部９１３ａ及び他端部９１３ｂをティース１１０から軸方向に引き出し、引き出された各相の巻線９１１，９１２，９１３の一端部９１１ａ，９１２ａ，９１３ａを第１乃至第３の接続端子１１，２１，３１の第２の接続部１１２，２１２，３１２に接続し、他端部９１１ｂ，９１２ｂ，９１３ｂを第４の接続端子４１の第２の接続部４１２に接続する。
【００５２】
集配電リング９０をステータ９１に対して軸方向に移動させると、図５に示すように、第１の接続端子１１における第２の接続部１１２の第１の接触部１１２ａと第２の接触部１１２ｂとの間にＵ相の巻線９１１の一端部９１１ａが挿入される。
【００５３】
図６は、Ｕ相の巻線９１１の一端部９１１ａと第２の接続部１１２とをヒュージング（熱加締め）によって電気的に接続する工程を示す説明図であり、（ａ）はヒュージング実施中の状態を、（ｂ）はヒュージング後の状態を、それぞれ示す。
【００５４】
このヒュージングは、第２の接続部１１２を周方向の両側から一対の電極６（第１の電極６１及び第２の電極６２）で挟み、第２の接続部１１２及び巻線９１１の一端部９１１ａに溶接電流を流すことにより行われる。第２の接続部１１２を第１の電極６１及び第２の電極６２で挟むことにより、第２の接続部１１２における第１の接触部１１２ａの接触面１１２ａ１及び第２の接触部１１２ｂの接触面１１２ｂ１が、巻線９１１の一端部９１１ａに接触する。第１の接触部１１２ａの周方向他側の端面１１２ａ２（接触面１１２ａ１の反対側の面）は、第１の電極６１に接触し、第２の接触部１１２ｂの周方向他側の端面１１２ｂ２は、第２の電極６２に接触する。この状態で第１の電極６１と第２の電極６２との間に溶接電流が流れることにより、第２の接続部１１２とＵ相の巻線９１１の一端部９１１ａとが電気的に接続される。
【００５５】
図６（ｂ）に示すヒュージング後の状態では、第１の接触部１１２ａ及び第２の接触部１１２ｂがＵ相の巻線９１１の一端部９１１ａに接合され、第２の接触部１１２ｂの周方向一側の端面１１２ｂ２を径方向に延長した仮想線Ｌ２は、ヒュージング前の仮想線Ｌ１の位置（図５参照）よりも周方向他側に変位する。この状態でも、第１の突起５１１の周方向一側の端面５１１ａは、仮想線Ｌ２よりも周方向他側に位置している。つまり、第１の突起５１１の周方向一側の端面５１１ａは仮想線Ｌ２よりも連結部１１３側に位置している。
【００５６】
なお、Ｖ相及びＷ相の巻線９１２，９１３の一端部９１２ａ，９１３ａと第２及び第３の接続端子２１，３１との接続、ならびに各相の巻線９１１，９１２，９１３の他端部９１１ｂ，９１２ｂ，９１３ｂと第４の接続端子４１との接続も、図６に示したＵ相の巻線９１１の一端部９１１ａと第１の接続端子１１の接続と同様に行われる。
【００５７】
（第１の実施の形態の作用及び効果）
以上説明した第１の実施の形態によれば、以下に述べる作用及び効果がある。
【００５８】
（１）例えば集配電リング９０をステータ９１に組み付ける際、あるいは集配電リング９０の搬送時等に、第１乃至第４の接続端子１１，２１，３１，４１がステータ９１もしくは他の部材に干渉して変形してしまうおそれがあるが、このような干渉が発生した場合でも、第１の接続端子１１及び第２の接続端子２１の連結部１１３，２１３が位置規制部５１（第１及び第２の突起５１１，５１２）当接することにより、第１の接続端子１１及び第２の接続端子２１の第２接続部１１２，２１２の位置が規制される。これにより、例えば図５に示すように、第１の接続端子１１における第２の接続部１１２の第１の接触部１１２ａと第２の接触部１１２ｂとの間にＵ相の巻線９１１の一端部９１１ａを挿入しやすくなる。つまり、第２の接続部１１２，２１２とＵ相及びＶ相の巻線９１１，９１２の一端部９１１ａ，９１２ａとの位置決めが容易となり、作業効率が向上する。
【００５９】
（２）第１乃至第４の環状導電体１０，２０，３０，４０は、径方向に並列するので、集配電リング９０の軸方向の幅を小さくすることができる。また、第１乃至第４の接続端子１１，２１，３１，４１の第２の接続部１１２，２１２，３１２，４１２は、第４の環状導電体４０よりも径方向外側に突出するので、第１乃至第４の環状導電体１０，２０，３０，４０の外径をステータ９１の外径よりも小さくすることができ、集配電リング９０の径方向の幅を小さくすることができる。
【００６０】
（３）保持・規制部材５は、径方向に並列した第１乃至第４の環状導電体１０，２０，３０，４０のうち、内側から１番目及び２番目に配置された第１及び第２の環状導電体１０，２０に接続される第１及び第２の接続端子１１，２１の第２接続部１１２，２１２の位置を規制する。つまり、保持・規制部材５は、連結部１１３，２１３の長さが比較的長く、組み付け時等に他の部材との干渉が発生した場合に変形量が大きくなる第１及び第２の接続端子１１，２１の第２接続部１１２，２１２の位置を規制するので、製造時における組み付け性を効果的に向上することができる。
【００６１】
（４）位置規制部５１は、第１乃至第４の環状導電体１０，２０，３０，４０の軸方向に突出した第１の突起５１１及び第２の突起５１２から構成されるので、保持・規制部材５を第１乃至第４の環状導電体１０，２０，３０，４０に固定する前に第１及び第２の接続端子１１，２１が第１及び第２の環状導電体１０，２０に接続されていても、容易に保持・規制部材５を固定することができる。つまり、第１及び第２の接続端子１１，２１と保持・規制部材５とを第１乃至第４の環状導電体１０，２０，３０，４０の軸方向に相対移動させることにより、容易に第１の突起５１１及び第２の突起５１２の間に第１及び第２の接続端子１１，２１の連結部１１３，２１３を配置することができ、作業効率の増加が抑制される。
【００６２】
（５）第１の突起５１１は第１の壁部５０１に設けられ、第２の突起５１２は第２の壁部５０２に設けられているので、２つの金型の組み合わせによって保持・規制部材５を樹脂成形することができる。つまり、保持・規制部材５の周方向の両側（図４（ａ）の矢印Ａ方向及びその逆方向）から互いに付き合わされる２つの金型の間に形成される空間に樹脂を注入することにより、保持・規制部材５を成形することができる。なお、仮に第１の突起５１１及び第２の突起５１２が共に第１の壁部５０１に設けられていた場合には、第１の突起５１１と第２の突起５１２との間の空間を形成するために、径方向（図４（ｂ）の矢印Ｂ方向もしくはその逆方向）に組み合わされる第３の金型が必要となるが、本実施の形態によれば、この第３の金型を不要とすることができる。
【００６３】
（６）図５に示すように、第１の突起５１１は、第２の壁部５０２よりも径方向外側に配置される第１の壁部５０１に設けられ、かつ連結部１１３よりも周方向一側（第１の接触部１１２ａに対する第２の接触部１１２ｂ側）に配置されているので、Ｕ相の巻線９１１と第２の接続部１１２との接合部位に近い部位に第１の突起５１１が位置し、連結部１１３の位置が規制されることにより、第２の接続部１１２とＵ相の巻線９１１の一端部９１１ａとの位置ずれが抑制される。
【００６４】
（７）第１の突起５１１の周方向一側の端面５１１ａは、ヒュージングの前後において第２の接触部１１２ｂの周方向一側の端面１１２ｂ２を径方向に延長した仮想線Ｌ１，Ｌ２よりも連結部１１３側に位置しているので、図６（ａ）に示すように、第１の突起５１１と第２の電極６２との干渉が回避される。これにより、ヒュージングの際に一対の電極６と集配電リング９０との厳密な位置合わせが不要となり、組み付け時における作業効率が向上する。
【００６５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６６】
また、本発明は、その趣旨を逸脱しない範囲で適宜変形して実施することができる。例えば、上記実施の形態では、第１乃至第４の接続端子１１，２１，３１，４１が第１乃至第４の環状導電体１０，２０，３０，４０のうち、最も径方向外側に配置された第４の環状導電体４０よりもさらに径方向外側に突出した場合について説明したが、これに限らず、第１乃至第４の接続端子１１，２１，３１，４１が第１乃至第４の環状導電体１０，２０，３０，４０のうち、最も径方向内側に配置された第１の環状導電体１０よりもさらに径方向内側に突出してもよい。この場合、第２の接続部１１２，２１２，３１２，４１２は、第１の環状導電体１０の径方向内側に位置し、保持・規制部材５の位置規制部５１は、第３及び第４の接続端子３１，４１の連結部３１３，４１３の径方向内側の端部の周方向の位置を規制する。
【００６７】
また、本実施の形態では、保持・規制部材５を第１及び第２の接続端子１１，２１に対応して配置した場合について説明したが、これに限らず、第１乃至第４の接続端子１１，２１，３１，４１の全てに対応して保持・規制部材５を配置してもよい。また、例えば第１の接続端子１１のみに対応して保持・規制部材５を配置してもよい。
【００６８】
また、本実施の形態では、第１乃至第４のバスリング１〜４の第１乃至第４の環状導電体１０，２０，３０，４０が絶縁電線からなる場合について説明したが、これに限らず、板材を帯状に打ち抜いた素材を環状に屈曲させて第１乃至第４の環状導電体１０，２０，３０，４０を構成してもよい。この場合、第１乃至第４の接続端子１１，２１，３１，４１、及び第１乃至第３の給電端子１２，２２，３２を第１乃至第４の環状導電体１０，２０，３０，４０と一体に形成することができ、第１乃至第４の接続端子１１，２１，３１，４１における第１乃至第４の環状導電体１０，２０，３０，４０との接続部が第１の接続部１１１，２１１，３１１，４１１となる。また、第１乃至第４の接続端子１１，２１，３１，４１における第１の接続部１１１，２１１，３１１，４１１とは反対側の端部が第２の接続部１１２，２１２，３１２，４１２となる。
【００６９】
また、上記実施の形態では、第１乃至第４のバスリング１〜４の周方向の複数箇所に保持・規制部材５が配置された場合について説明したが、これに限らず、第１乃至第４のバスリング１〜４に沿って環状に形成された樹脂部材の一部が保持・規制部材５として形成されていてもよい。この場合、第１及び第２の接続端子１１，２１の連結部１１３，２１３が上記樹脂部材から径方向の内側又は外側に導出される部位に、連結部１１３，２１３を挟む第１及び第２の突起を設けることで、本実施の形態と同様の作用及び効果を得ることができる。
【００７０】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００７１】
［１］環状に配置された複数のティース（１１０）に巻き回された複数相の巻線（９１１，９１２，９１３）に対して集配電を行う複数のバスリング（１〜４）と、前記複数のバスリング（１〜４）を保持する保持部材（５０）とを備え、前記複数のバスリング（１〜４）は、前記複数のティース（１１０）に沿って配置される複数の環状導体部（１０，２０，３０，４０）と、前記環状導体部（１０，２０，３０，４０）の周方向の複数箇所に設けられた複数の端子部（１１，２１，３１，４１）とを有し、前記複数の端子部（１１，２１，３１，４１）は、前記環状導体部（１０，２０，３０，４０）に接続された第１の接続部（１１１，２１１，３１１，４１１）と、前記巻線（９１１，９１２，９１３）に接続される第２の接続部（１１２，２１２，３１２，４１２）と、前記第１及び第２の接続部を連結して前記複数の環状導体部（１０，２０，３０，４０）の径方向に延びる連結部（１１３，２１３，３１３，４１３）とを有し、前記端子部（１１，２１，３１，４１）の前記連結部（１１３，２１３，３１３，４１３）に当接することにより前記第２の接続部（１１２，２１２，３１２，４１２）の位置を規制可能な位置規制部材（５１）をさらに備えた集配電リング（９０）。
【００７２】
［２］前記複数のバスリング（１〜４）は、前記複数の環状導体部（１０，２０，３０，４０）が径方向に並列して同心状に配置され、前記端子部（１１，２１，３１，４１）は、前記連結部（１１３，２１３，３１３，４１３）が前記第１の接続部（１１１，２１１，３１１，４１１）から前記複数の環状導体部（１０，２０，３０，４０）の径方向一側に延在すると共に、前記第２の接続部（１１２，２１２，３１２，４１２）が前記複数の環状導体部（１０，２０，３０，４０）のうち最も前記径方向一側に配置された環状導体部（４０）よりもさらに前記径方向一側に位置し、前記位置規制部材（５１）は、前記第２の接続部（１１２，２１２，３１２，４１２）の前記複数の環状導体部（１０，２０，３０，４０）の周方向における位置を規制可能である、［１］に記載の集配電リング（９０）。
【００７３】
［３］前記保持部材（５０）と前記位置規制部材（５１）とは一体になっている、［１］又は［２］に記載の集配電リング（９０）。
【００７４】
［４］前記保持部材（５０）は、前記端子部（１１，２１）の前記連結部（１１３，２１３）を前記複数の環状導体部（１０，２０，３０，４０）の周方向に挟む第１及び第２の突起（５１１，５１２）からなる、［２］に記載の集配電リング（９０）。
【００７５】
［５］前記保持部材（５０）は、前記複数の環状導体部（１０，２０，３０，４０）のうち最も前記径方向一側に配置された環状導体部（４０）をその径方向の両側で挟む第１及び第２の壁部（５０１，５０２）を有し、前記位置規制部材（５１）は、前記第１の突起（５１１）が前記第１の壁部（５０１）の前記軸方向一側の端部に設けられ、前記第２の突起（５１２）が前記第２の壁部（５０２）の前記軸方向一側の端部に設けられている、［４］に記載の集配電リング（９０）。
【００７６】
［６］前記保持部材（５０）は、前記第１の壁部（５０１）が前記第２の壁部（５０２）よりも前記径方向一側に配置され、前記端子部（１１，２１）の前記第２の接続部（１１２，２１２）は、前記連結部（１１３，２１３）に連続して形成された第１の接触部（１１２ａ）と、前記第１の接触部（１１２ａ）よりも前記複数の環状導体部（１０，２０，３０，４０）の周方向一側に位置して前記第１の接触部（１１２ａ）と周方向に向かい合う第２の接触部（１１２ｂ）とを含み、前記第１の接触部（１１２ａ）及び前記第２の接触部（１１２ｂ）が前記巻線（９１１）にそれぞれ接触し、前記第１の突起（５１１）は、前記第２の突起（５１２）よりも前記周方向一側に設けられている、［５］に記載の集配電リング（９０）。
【００７７】
［７］前記第１の突起（５１１）の前記周方向一側の端面（５１１ａ）は、前記第２の接触部（１１２ｂ）の前記周方向一側の端面（１１２ｂ２）よりも前記連結部（１１３）側に位置している、［６］に記載の集配電リング（９０）。
【００７８】
［８］前記端子部（１１，２１，３１，４１）は、前記連結部（１１３，２１３，３１３，４１３）が前記第１の接続部（１１１，２１１，３１１，４１１）から前記複数の環状導体部（１０，２０，３０，４０）の径方向外側に延在し、前記第２の接続部（１１２，２１２，３１２，４１２）が前記複数の環状導体部（１０，２０，３０，４０）のうち最も前記径方向外側に配置された環状導体部（４０）よりもさらに前記径方向外側に位置する、［２］に記載の集配電リング（９０）。
【００７９】
［９］上記［１］〜［８］の何れか１つに記載の集配電リング（９０）と、前記複数のティース（１１０）及び前記複数相の巻線（９１１，９１２，９１３）を有するステータ（９１）と、前記複数相の巻線（９１１，９１２，９１３）の磁界によって前記ステータ（９１）に対して回転するロータ（９２）とを備えた電動機（９）。
【符号の説明】
【００８０】
１〜４…第１乃至第４のバスリング、５…保持・規制部材、６…電極、９…電動機、１０，２０，３０，４０…第１乃至第４の環状導電体（環状導体部）、１１，２１，３１，４１…第１乃至第４の接続端子（端子部）、１１Ａ…素材、１２，２２，３２…第１乃至第３の給電端子、４０ａ…空隙、４１ｕ…Ｕ相中性線接続端子、４１ｖ…Ｖ相中性線接続端子、４１ｗ…Ｗ相中性線接続端子、５０…保持部（保持部材）、５０ａ〜５０ｄ…第１乃至第４保持空間、５１…位置規制部（位置規制部材）、６１…第１の電極、６２…第２の電極、９０…集配電リング、９１…ステータ、９２…ロータ、１０１，２０１，３０１，４０１…中心導体、１０２，２０２，３０２，４０２…絶縁被覆、１１０…ティース、１１１，２１１，３１１，４１１…第１の接続部、１１２，２１２，３１２，４１２…第２の接続部、１１１Ａ…第１領域、１１２Ａ…第２領域、１１３Ａ…第３領域、１１２ａ…第１の接触部、１１２ｂ…第２の接触部、１１２ａ１，１１２ｂ１…接触面、１１２ａ２，１１２ｂ２…端面、１１２ｃ…湾曲部、１１３，２１３，３１３，４１３…連結部、５００…基部、５０１〜５０５…第１乃至第５の壁部、５０１ａ，５０２ａ，５０３ａ，５０４ａ，５０５ａ…先端部、５０１ｂ，５０２ｂ…軸方向端面、５１１…第１の突起、５１２…第２の突起、５１１ａ…端面、９１０…ティース、９１１…Ｕ相の巻線、９１２…Ｖ相の巻線、９１３…Ｗ相の巻線、９１１ａ，９１２ａ，９１３ａ…一端部、９１１ｂ，９１２ｂ，９１３ｂ…他端部、９２０…ロータコア、９２１…磁石、Ｌ１，Ｌ２…仮想線、Ｏ…回転軸線
【図１】
2014110707.tif 000003
【図２】
2014110707.tif 000004
【図３】
2014110707.tif 000005
【図４】
2014110707.tif 000006
【図５】
2014110707.tif 000007
【図６】
2014110707.tif 000008